(57)【要約】【課題】      本発明によれば、撮像装置の位置状態に基づいて撮像装置の操作を簡単に行うことができる撮像装置および撮像装置の操作方法を提供する。【解決手段】  本体に設けたモードダイヤル５１および操作スイッチ５２〜６４により操作者が各種操作を行う撮像装置１００であって、前記撮像装置１００は加速度または角加速度を検出するセンサ４７を備え、該センサ４７で検出した検出情報に基づいて前記各種操作のうち所定の操作が行われる。【選択図】      図１
2006285073.tif 000002
【特許請求の範囲】
【請求項１】
本体に設けた操作スイッチにより操作者が各種操作を行う撮像装置であって、
前記撮像装置は加速度または角加速度を検出する検出手段を備え、
該検出手段で検出した検出情報に基づいて前記各種操作のうち所定の操作が行われることを特徴とする撮像装置。
【請求項２】
前記所定の操作は、前記検出情報の大きさに基づいて行われることを特徴とする請求項１に記載の撮像装置。
【請求項３】
前記所定の操作は、前記検出情報の方向に基づいて行われることを特徴とする請求項１に記載の撮像装置。
【請求項４】
前記所定の操作は、前記検出情報の変化量に基づいて行われることを特徴とする請求項１に記載の撮像装置。
【請求項５】
前記撮像装置は、画像を撮影する撮影モードと撮影した画像を再生する再生モードの少なくとも２つの動作モードを備えることを特徴とする請求項１から請求項４に記載の撮像装置。
【請求項６】
前記各動作モードにおいて、同一の前記検出情報に対する前記所定の操作が異なることを特徴とする請求項５に記載の撮像装置。
【請求項７】
前記撮像装置は、操作者が前記撮像装置を手に持って被写体の画像を撮影する際に、操作者の手振れによる画像の振れを防止する手振れ防止手段をさらに備え、
該手振れ防止手段は前記検出手段の検出情報に基づいて動作することを特徴とする請求項１から請求項６に記載の撮像装置。
【請求項８】
前記撮像装置は、撮影した画像を電子的に記録する手段と、記録した該画像を表示する表示手段をさらに備えることを特徴とする請求項１に記載の撮像装置。
【請求項９】
前記所定の操作は、前記検出情報の変化を前記表示手段に軌跡として表示する軌跡表示操作を含むことを特徴とする請求項８に記載の撮像装置。
【請求項１０】
前記所定の操作は、前記検出情報の変化のパターンに基づいて前記表示手段に文字を表示する文字表示操作を含むことを特徴とする請求項８に記載の撮像装置。
【請求項１１】
前記撮像装置に表示された前記軌跡および前記文字が、前記撮像装置が撮影した画像に重畳されて記録されることを特徴とする請求項９または請求項１０に記載の撮像装置。
【請求項１２】
前記所定の操作は、前記撮像装置が所定の状態にある場合に行われることを特徴とする請求項１から請求項１１に記載の撮像装置。
【請求項１３】
前記所定の状態は、前記撮像装置に備えられた所定のスイッチが操作されている状態であることを特徴とする請求項１２に記載の撮像装置。
【請求項１４】
本体に設けた操作スイッチにより操作者が各種操作を行う撮像装置の操作方法であって、
前記撮像装置は加速度または角加速度を検出する検出手段を備え、
該検出手段で検出した検出情報に基づいて前記各種操作のうち所定の操作が行われることを特徴とする撮像装置の操作方法。
【請求項１５】
前記所定の操作は、前記検出情報の大きさに基づいて行われることを特徴とする請求項１４に記載の撮像装置の操作方法。
【請求項１６】
前記所定の操作は、前記検出情報の方向に基づいて行われることを特徴とする請求項１４に記載の撮像装置の操作方法。
【請求項１７】
前記所定の操作は、前記検出情報の変化量に基づいて行われることを特徴とする請求項１４に記載の撮像装置の操作方法。
【請求項１８】
前記撮像装置は、画像を撮影する撮影モードと撮影した画像を再生する再生モードの少なくとも２つの動作モードを備えることを特徴とする請求項１４から請求項１７に記載の撮像装置の操作方法。
【請求項１９】
前記各動作モードにおいて、同一の前記検出情報に対する前記所定の操作が異なることを特徴とする請求項１８に記載の撮像装置の操作方法。
【請求項２０】
前記撮像装置は、操作者が前記撮像装置を手に持って被写体の画像を撮影する際に、操作者の手振れによる画像の振れを防止する手振れ防止手段をさらに備え、
該手振れ防止手段は前記検出手段の検出情報に基づいて動作することを特徴とする請求項１４から請求項１９に記載の撮像装置の操作方法。
【請求項２１】
前記撮像装置は、撮影した画像を電子的に記録する手段と、記録した該画像を表示する表示手段をさらに備えることを特徴とする請求項１４に記載の撮像装置の操作方法。
【請求項２２】
前記所定の操作は、前記検出情報の変化を前記表示手段に軌跡として表示する軌跡表示操作を含むことを特徴とする請求項２１に記載の撮像装置の操作方法。
【請求項２３】
前記所定の操作は、前記検出情報の変化のパターンに基づいて前記表示手段に文字を表示する文字表示操作を含むことを特徴とする請求項２１に記載の撮像装置の操作方法。
【請求項２４】
前記撮像装置に表示された前記軌跡および前記文字が、前記撮像装置が撮影した画像に重畳されて記録されることを特徴とする請求項２２または請求項２３に記載の撮像装置の操作方法。
【請求項２５】
前記所定の操作は、前記撮像装置が所定の状態にある場合に行われることを特徴とする請求項１４から請求項２４に記載の撮像装置の操作方法。
【請求項２６】
前記所定の状態は、前記撮像装置に備えられた所定のスイッチが操作されている状態であることを特徴とする請求項２５に記載の撮像装置の操作方法。
【発明の詳細な説明】
【技術分野】
【０００１】
本発明は、撮像装置および撮像装置の操作方法に関するものである
【背景技術】
【０００２】
一般に画像を撮影する撮像装置においては、撮像装置本体に設けられた表示画面、例えば液晶画面等に表示されるメニュー画面を見ながら、操作者が希望する項目を選択して撮像装置の動作設定等を行うことが多い。このような撮像装置においては、操作者は撮像装置本体に設けられた操作スイッチを操作して、メニュー項目から必要な項目を選択するものが一般的である。ここで、メニュー項目の選択にあたっては、数多くのメニュー項目それぞれに対応したスイッチを撮像装置に設けることは実用的でないため、十字状に配置され、上下左右に表示されたメニュー項目を必要な方向へ移動しながら選択する操作スイッチを用いることが多い。
【０００３】
このような撮像装置においては、メニュー画面上に設定のない方向に対応する操作スイッチを操作してしまった場合、通常は無反応とするか、警報音を発するように設定されているものが多い。しかしながら、このような場合は操作者に不便を感じさせることもあるため、撮像装置を無反応にするのではなく、あらかじめ設定された操作動作を行って、より利便性を向上させるものが提案されている（特許文献１）。
【０００４】
また、このような操作スイッチでは操作が限られてしまったり、順送り操作を何度も行う必要がある場合があるため、表示画面にタッチパネルを用いて、表示されたメニュー項目を画面上でタッチすることで表示されるメニュー項目を切り替えながら必要な項目を選択するものが提案されている（特許文献２）。
【特許文献１】特開２００３−３２３２４３号公報
【特許文献２】特開２０００−３４１５７２号公報
【発明の開示】
【発明が解決しようとする課題】
【０００５】
しかしながら、このような画像装置においては、操作スイッチの数や表示画面の大きさが限られてしまうため、一度に多くの選択肢を表示することができない場合は、必要なメニュー項目に到達するまでに複数回操作スイッチやタッチパネルを操作する必要がある。
【０００６】
本発明の課題は、撮像装置の位置状態に基づいて撮像装置の操作を簡単に行うことができる撮像装置および撮像装置の操作方法を提供することにある。
【課題を解決するための手段】
【０００７】
上記課題を解決するために、請求項１に記載の発明は、本体に設けた操作スイッチにより操作者が各種操作を行う撮像装置であって、前記撮像装置は加速度または角加速度を検出する検出手段を備え、該検出手段で検出した検出情報に基づいて前記各種操作のうち所定の操作が行われることを特徴としている。
【０００８】
上記構成によれば、加速度または角加速度を操作入力として用いているため、操作スイッチの操作回数を減らす効果がある。また、本体に設置する操作スイッチの数を減らすことができる。
【０００９】
また請求項２の発明は、請求項１において、前記所定の操作は、前記検出情報の大きさに基づいて行われることを特徴としている。
【００１０】
上記構成によれば、検出情報の大きさに基づいて、複数の入力操作を割り当てることができる。
【００１１】
また請求項３の発明は、請求項１において、前記所定の操作は、前記検出情報の方向に基づいて行われることを特徴としている。
【００１２】
上記構成によれば、検出情報の方向に基づいて、複数の入力操作を割り当てることができる。
【００１３】
また請求項４の発明は、請求項１において、前記所定の操作は、前記検出情報の変化量に基づいて行われることを特徴としている。
【００１４】
上記構成によれば、検出情報の変化量に基づいて、複数の入力操作を割り当てることができる。
【００１５】
また請求項５の発明は、請求項１から請求項４において、前記撮像装置は、画像を撮影する撮影モードと撮影した画像を再生する再生モードの少なくとも２つの動作モードを備えることを特徴としている。
【００１６】
また請求項６の発明は、請求項５において、前記各動作モードにおいて、同一の前記検出情報に対する前記所定の操作が異なることを特徴としている。
【００１７】
上記構成によれば、各モードにおいて、同一の検出情報に異なる入力操作を割り当て、入力操作の種類を増やすことが可能である。
【００１８】
また請求項７の発明は、請求項１から請求項６において、前記撮像装置は、操作者が前記撮像装置を手に持って被写体の画像を撮影する際に、操作者の手振れによる画像の振れを防止する手振れ防止手段をさらに備え、該手振れ防止手段は前記検出手段の検出情報に基づいて動作することを特徴としている。
【００１９】
上記構成によれば、検出手段を手振れ防止機能と共用化することで、撮像装置の小型化が可能である。
【００２０】
また請求項８の発明は、請求項１において、前記撮像装置は、撮影した画像を電子的に記録する手段と、記録した該画像を表示する表示手段をさらに備えることを特徴としている。
【００２１】
また請求項９の発明は、請求項８において、前記所定の操作は、前記検出情報の変化を前記表示手段に軌跡として表示する軌跡表示操作を含むことを特徴としている。
【００２２】
また請求項１０の発明は、請求項８において、前記所定の操作は、前記検出情報の変化のパターンに基づいて前記表示手段に文字を表示する文字表示操作を含むことを特徴としている。
【００２３】
上記構成によれば、キーボード等を操作することなく、簡単に線や文字の入力表示が可能となる。
【００２４】
また請求項１１の発明は、請求項９または請求項１０において、前記撮像装置に表示された前記軌跡および前記文字が、前記撮像装置が撮影した画像に重畳されて記録されることを特徴としている。
【００２５】
上記構成によれば、撮影した画像に情報を付加して記録することができる。
【００２６】
また請求項１２の発明は、請求項１から請求項１１において、前記所定の操作は、前記撮像装置が所定の状態にある場合に行われることを特徴としている。
【００２７】
また請求項１３の発明は、請求項１２において、前記所定の状態は、前記撮像装置に備えられた所定のスイッチが操作されている状態であることを特徴としている。
【００２８】
上記構成によれば、所定のスイッチが操作されている際に加速度または角加速度を用いた操作入力を行うため、誤って操作されてしまうことがない。
【００２９】
また請求項１４に記載の発明は、本体に設けた操作スイッチにより操作者が各種操作を行う撮像装置の操作方法であって、前記撮像装置は加速度または角加速度を検出する検出手段を備え、該検出手段で検出した検出情報に基づいて前記各種操作のうち所定の操作が行われることを特徴としている。
【００３０】
上記構成によれば、加速度または角加速度を操作入力として用いているため、操作スイッチの操作回数を減らす効果がある。また、本体に設置する操作スイッチの数を減らすことができる。
【００３１】
また請求項１５の発明は、請求項１４において、前記所定の操作は、前記検出情報の大きさに基づいて行われることを特徴としている。
【００３２】
上記構成によれば、検出情報の大きさに基づいて、複数の入力操作を割り当てることができる。
【００３３】
また請求項１６の発明は、請求項１４において、前記所定の操作は、前記検出情報の方向に基づいて行われることを特徴としている。
【００３４】
上記構成によれば、検出情報の方向に基づいて、複数の入力操作を割り当てることができる。
【００３５】
また請求項１７の発明は、請求項１４において、前記所定の操作は、前記検出情報の変化量に基づいて行われることを特徴としている。
【００３６】
上記構成によれば、検出情報の変化量に基づいて、複数の入力操作を割り当てることができる。
【００３７】
また請求項１８の発明は、請求項１４から請求項１７において、前記撮像装置は、画像を撮影する撮影モードと撮影した画像を再生する再生モードの少なくとも２つの動作モードを備えることを特徴としている。
【００３８】
また請求項１９の発明は、請求項１８において、前記各動作モードにおいて、同一の前記検出情報に対する前記所定の操作が異なることを特徴としている。
【００３９】
上記構成によれば、各モードにおいて、同一の検出情報に異なる入力操作を割り当て、入力操作の種類を増やすことが可能である。
【００４０】
また請求項２０の発明は、請求項１４から請求項１９において、前記撮像装置は、操作者が前記撮像装置を手に持って被写体の画像を撮影する際に、操作者の手振れによる画像の振れを防止する手振れ防止手段をさらに備え、該手振れ防止手段は前記検出手段の検出情報に基づいて動作することを特徴としている。
【００４１】
上記構成によれば、検出手段を手振れ防止機能と共用化することで、撮像装置の小型化が可能である。
【００４２】
また請求項２１の発明は、請求項１４において、前記撮像装置は、撮影した画像を電子的に記録する手段と、記録した該画像を表示する表示手段をさらに備えることを特徴としている。
【００４３】
また請求項２２の発明は、請求項２１において、前記所定の操作は、前記検出情報の変化を前記表示手段に軌跡として表示する軌跡表示操作を含むことを特徴としている。
【００４４】
また請求項２３の発明は、請求項２１において、前記所定の操作は、前記検出情報の変化のパターンに基づいて前記表示手段に文字を表示する文字表示操作を含むことを特徴としている。
【００４５】
上記構成によれば、キーボード等を操作することなく、簡単に線や文字の入力表示が可能となる。
【００４６】
また請求項２４の発明は、請求項２２または請求項２３において、前記撮像装置に表示された前記軌跡および前記文字が、前記撮像装置が撮影した画像に重畳されて記録されることを特徴としている。
【００４７】
上記構成によれば、撮影した画像に情報を付加して記録することができる。
【００４８】
また請求項２５の発明は、請求項１４から請求項２４において、前記所定の操作は、前記撮像装置が所定の状態にある場合に行われることを特徴としている。
【００４９】
また請求項２６の発明は、請求項２５において、前記所定の状態は、前記撮像装置に備えられた所定のスイッチが操作されている状態であることを特徴としている。
【００５０】
上記構成によれば、所定のスイッチが操作されている際に加速度または角加速度を用いた操作入力を行うため、誤って操作されてしまうことがない。
【発明の効果】
【００５１】
本発明によれば、撮像装置の位置状態に基づいて撮像装置の操作を簡単に行うことができる撮像装置および撮像装置の操作方法を実現することができる。
【発明を実施するための最良の形態】
【００５２】
以下、本発明の実施例を図面に従って説明する。
【実施例１】
【００５３】
図１は本発明の第１の実施例の撮像装置の構成図を、図２はブロック図を示している。本実施例では、撮像装置としてデジタルカメラを用いている。
【００５４】
鏡胴ユニット７は、被写体の光学画像を取り込むズームレンズ７Ａとズームレンズ７Ａを駆動するズームモータ７Ｂからなるズーム光学系７Ｃ、フォーカスレンズ７Ｄとフォーカスレンズ７Ｄを駆動するフォーカスモータ７Ｅからなるフォーカス光学系７Ｆ、絞り７Ｇと絞り７Ｇを駆動する絞りモータ７Ｈからなる絞りユニット７Ｉ、機械式シャッタ７Ｊと機械式シャッタ７Ｊを駆動するシャッタモータ７Ｋからなる機械式シャッタユニット７Ｌ、各モータ７Ｂ、７Ｅ、７Ｈ、７Ｋを駆動するモータドライバ７Ｍを備えている。モータドライバ７Ｍは、リモコン受光部６の入力や、モードダイヤル５１、各操作スイッチ５２〜６４の操作入力に基づいて、後述する制御部３０内にあるＣＰＵ３０Ｄからの駆動指令により駆動制御される。
【００５５】
ＲＯＭ３２には、ＣＰＵ３０Ｄが解読可能なコードで記述された制御プログラムや制御用パラメータが格納されている。電源スイッチ６４が操作されてデジタルカメラ１００の電源がオンになると、前記プログラムはメインメモリ（図示省略）に読み込まれ、ＣＰＵ３０Ｄはそのプログラムに従って装置各部の動作を制御するとともに、制御に必要なデータ等を、一時的にＲＡＭ３４及び制御部３０内にあるローカルＳＲＡＭ３０Ｅに保存する。ここでＲＯＭ３２に書き換え可能なフラッシュＲＯＭを使用することで、制御プログラムや制御用パラメータを変更することが可能となり、機能のバージョンアップ等を容易に行うことができる。
【００５６】
ＣＣＤ７０は、光学画像を光電変換するための固体撮像素子であり、フロントエンドＩＣ（図２ではＦ／Ｅ―ＩＣと記載）７１は、画像ノイズ除去用相関二重サンプリングを行うノイズ除去サンプリング部（図２ではＣＤＳ部と記載）７１Ａ、利得調整を行う自動利得調整部（図２ではＡＧＣ部と記載）７１Ｂ、ディジタル信号変換を行うＡ／Ｄ変換部７１Ｃ、及びフロントエンドＩＣ７１の駆動タイミング信号を発生するタイミング信号発生部（図２ではＴＧ部と記載）７１Ｄを備えている。ここで、ＣＣＤ７０とフロントエンドＩＣ７１は、ＣＣＤ信号処理部１の３０Ｂより垂直同期信号と水平同期信号を供給され、ＣＰＵ３０Ｄによって制御される。
【００５７】
制御部３０は、フロントエンドＩＣ７１の出力データにホワイトバランス設定やガンマ設定を行うとともに前述したように垂直同期信号および水平同期信号を供給するＣＣＤ信号処理部１の３０Ｂと、フィルタリング処理により画像データを輝度データおよび色差データへ変換するＣＣＤ信号処理部２の３０Ｃと、撮像装置各部の動作を制御するＣＰＵ３０Ｄと、制御に必要なデータ等を一時的に保存するローカルＳＲＡＭ３０Ｅと、パソコンなどの外部機器とＵＳＢ通信を行うＵＳＢ部３０Ｆと、パソコンなどの外部機器とシリアル通信を行うシリアル通信部３０Ｇと、ＪＰＥＧ圧縮および伸張を行うＪＰＥＧ ＣＯＤＥＣ部３０Ｈと、画像データのサイズを補間処理により拡大縮小するＲＥＳＩＺＥ部３０Ｉと、画像データを液晶モニタやＴＶなどの外部表示機器に表示するためのビデオ信号に変換するＴＶ信号表示部３０Ｊと、撮影された画像データを記録するメモリカードの制御を行うメモリカード制御部３０Ｋとを備えている。
【００５８】
ＳＤＲＡＭ３１は、制御部３０で画像データに各種処理を施す際に画像データを一時的に保存する。保存される画像データは、例えばＣＣＤ７０からフロントエンドＩＣ７１を経由して取り込まれた後にＣＣＤ信号処理部１の３０Ｂでホワイトバランス設定とガンマ設定が行われた状態の「ＲＡＷ−ＲＧＢ画像データ」や、ＣＣＤ信号処理部２の３０Ｃで輝度データと色差データ変換が行われた状態の「ＹＵＶ画像データ」、ＪＰＥＧ ＣＯＤＥＣ部３０ＨでＪＰＥＧ圧縮された「ＪＰＥＧ画像データ」などである。
【００５９】
メモリカードスロット４１は、着脱可能なメモリカード４２を装着するためのスロットである。
【００６０】
内蔵メモリ３３は、前述したメモリカードスロット４１にメモリカード４２が装着されていない場合でも、撮影した画像データを記憶できるようにするためのメモリである。
【００６１】
ビデオ信号増幅部３９は、ＴＶ信号表示部３０Ｊから出力されたビデオ信号を、インピーダンス変換するための増幅部であり、ビデオジャック４０はＴＶなどの外部表示機器に接続するためのジャックである。
【００６２】
シリアルドライバ４３は、パソコンなどの外部機器とシリアル通信を行うためにシリアル通信部３０Ｇの出力信号を電圧変換するための回路であり、ＲＳ２３２Ｃコネクタ４４は、パソコンなどの外部機器とシリアル接続を行うためのコネクタである。
【００６３】
ＵＳＢコネクタ４５は、パソコンなどの外部機器とＵＳＢ接続を行う為のコネクタである。
【００６４】
液晶モニタ１１は、撮影前に被写体の状態を監視したり、撮影した画像を確認したり、メモリカード４２や前述した内蔵メモリ３３に記録した画像データを表示したりする場合のディスプレイである。
【００６５】
液晶ドライバ２０は、液晶モニタ１１を駆動するドライブ回路であり、ＴＶ信号表示部３０Ｊから出力されたビデオ信号を、液晶モニタ１１に表示するための信号に変換する機能も有している。
【００６６】
サブＣＰＵ２３は、ＲＯＭとＲＡＭをワンチップに内蔵したＣＰＵであり、リモコン受光部６や、モードダイヤル５１、各操作スイッチ５２〜６４からの出力信号を操作者の操作情報として前述したＣＰＵ３０Ｄに出力する。またＣＰＵ３０Ｄより出力されるカメラの状態を、後述するサブ液晶モニタ１や、オートフォーカスＬＥＤ（図２ではＡＦ  ＬＥＤと記載）８、ストロボＬＥＤ９、各種警報発生時に鳴動するブザ３８の制御信号に変換して出力する。
【００６７】
サブ液晶モニタ１は、撮影可能枚数など表示するための表示部であり、液晶ドライバ２２はサブＣＰＵ２３の出力信号に基づいてサブ液晶モニタ１を駆動するためのドライブ回路である。
【００６８】
オートフォーカスＬＥＤ８は、撮影時の合焦状態を表示するためのＬＥＤである。またストロボＬＥＤ９は、ストロボ充電状態を表すためのＬＥＤである。なおこのオートフォーカスＬＥＤ８とストロボＬＥＤ９は、メモリカード４２のアクセス中に点滅させるなど、別の表示用途に使用しても良い。
【００６９】
ストロボ発光部３は、ストロボ駆動回路２１に駆動され、ＣＰＵ３０Ｄからの制御信号に基づいて発光する。
【００７０】
操作スイッチユニット５０は、操作者が操作するモードダイヤル５１、各操作スイッチ５２〜６４と電気的に接続されており、モードダイヤル５１、各操作スイッチ５２〜６４の操作状態を検出してサブＣＰＵ２３に伝える回路である。
【００７１】
リモコン受光部６は、デジタルカメラ１００の遠隔操作用リモコン送信機（図示省略）の信号受信部である。
【００７２】
音声入力部８０は、操作者が音声信号を入力するマイク８０Ａ、入力された音声信号を増幅するマイク信号増幅部８０Ｂ、増幅された音声信号を記録する音声信号記録部８０Ｃを備えている。
【００７３】
拡声部９０は、記録された音声信号をスピーカ９０Ａから再生する音声信号再生部９０Ｃ、再生された音声信号を増幅しスピーカ９０Ａを駆動する音声信号増幅部９０Ｂ、音声信号を出力するスピーカ９０Ａを備えている。
【００７４】
センサ４７は角加速度または加速度を計測するセンサであり、増幅部４６はセンサ４７の出力信号を増幅して制御部３０へ出力する。このセンサ４７が請求項の検出手段にあたる。センサ４７の出力信号は、デジタルカメラ１００が撮影を行う撮影モードにある場合は、手振れ防止機能（後述）を作動させるための情報として利用されるとともに後述する操作入力情報として利用される。一方デジタルカメラ１００が撮影した画像を再生する再生モードにある場合は、操作入力情報として利用される。
【００７５】
圧電素子３７は、手振れ防止機能のために設けられた駆動装置で、複数の圧電素子がＣＣＤ７０に隣接して配置され、圧電素子３７の伸縮によりＣＣＤ７０を微小距離移動させることができる。このＣＣＤ７０の微小距離移動によって、手振れ防止機能が作動する。センサ４７の出力に基づいてＣＰＵ３０Ｄは圧電素子３７の駆動信号を出力し、この駆動信号がＤ／Ａ変換器３５と増幅部３６を介して圧電素子３７に入力され、圧電素子３７が駆動される。
【００７６】
測距ユニット５は、被写体までの距離を測距して制御部３０へ出力する。
【００７７】
次に図３の状態遷移図と図４のフローチャートを用いて本発明の第１の実施例の動作について説明する。
【００７８】
本実施例では、デジタルカメラ１００は二つのモード、すなわち再生モードと撮影モードを備え、この２つのモード間を遷移する。
【００７９】
デジタルカメラ１００は、電源スイッチ６４が操作されて電源がＯＮになると、モードダイヤル５１で設定されているモード状態となる。すなわち、電源ＯＮ時にモードダイヤル５１で「撮影モード」が選択されている場合は、モードは撮影モード状態となる。一方、電源ＯＮ時にモードダイヤル５１で「再生モード」が選択されている場合は、モードは再生モード状態となる。
【００８０】
撮影モードでは、画像の撮影のほかに、メニュースイッチ５６を操作してメニュー画面を呼び出し、撮影時の露出補正やストロボ発光パターンの設定等、各種設定を実行することができる。
【００８１】
再生モード状態では、撮影した画像の再生や、複数画像の同時表示、拡大表示等を行うことができる。
【００８２】
各モード状態でモードダイヤル５１が操作されてモードが切り替えられると、切り替えられたモードへ移行する。すなわち、撮影モード状態のときにモードダイヤル５１が操作されて再生モードが選択されるとモードは再生モード状態になり、再生モード状態のときにモードダイヤル５１が操作されて撮影モードが選択されるとモードは撮影モード状態に移行する。
【００８３】
各モード状態で電源スイッチ６４が操作されて電源がＯＦＦになると、デジタルカメラ１００は動作を終了する。
【００８４】
以上の動作を状態遷移図として表したものが図３になる。
【００８５】
続いて、デジタルカメラ１００の詳細動作を、図４のフローチャートを用いて説明する。
【００８６】
ここで、本実施例ではセンサ４７として、角加速度を検出するジャイロセンサ４７Ａ（図示省略）を用いる。
【００８７】
本実施例では、操作者がマルチスイッチ６１を押しながらデジタルカメラ１００を上下左右に回転させるように動かすことで、あらかじめデジタルカメラ１００の動きのパターンに割り当てた所定の操作動作をデジタルカメラ１００に実行させるものである。
【００８８】
ステップＳ１０１では、マルチスイッチ（図４ではマルチＳＷと記載）６１が操作されているかどうかが判定される。マルチスイッチ６１が操作されている場合は、フローはステップＳ１０２へ移行する。一方マルチスイッチ６１が操作されていない場合は、本動作は作動せず、フローはステップＳ１０９へ移行して本動作は終了する。
【００８９】
ステップＳ１０２では、ジャイロセンサ４７Ａにより、図５に示す回転座標系の座標軸α、β、γ方向におけるデジタルカメラ１００の初期角加速度が計測される。この後にフローはステップＳ１０３へ移行する。
【００９０】
ステップＳ１０３では、ジャイロセンサ４７Ａにより微小時間ｔ秒ごとに座標軸α、β、γ方向における角加速度が計測され、微小時間ｔ秒ごとの角加速度の変化を積分することで、デジタルカメラ１００の座標軸α、β、γ方向における初期位置からの変移角度が算出される。この後にフローはステップＳ１０４へ移行する。
【００９１】
ステップＳ１０４では、算出された変移角度の推移パターンが判定される。推移パターンがあらかじめ定義した推移パターンに一致した場合は、フローはステップＳ１０５へ移行する。一方推移パターンがあらかじめ定義した推移パターンに一致しなければ、フローはステップＳ１０８へ移行し、引き続きマルチスイッチ６１が操作されていればステップＳ１０３へ戻って変位角度の算出と推移パターンの判定が継続される。一方マルチスイッチ６１が操作されていなければ、フローはステップＳ１０９へ移行して本動作は終了する。
【００９２】
ステップＳ１０５では、ステップＳ１０４で一致した変移角度の推移パターンにあらかじめ割り当てた動作が選択され、ステップＳ１０６でこの動作が実行される。図６に変移角度の推移パターン（入力動作）と、各入力動作に割り当てた対応動作の一例を示す。例えば、動作モードが撮影モードの場合、操作者がデジタルカメラ１００を図７に示す−γ方向へ大きく回転させた場合は、液晶モニタ１１にメニュー画面が表示される。また動作モードが再生モードの場合、操作者がデジタルカメラ１００を図７に示す＋γ方向へ大きく回転させた場合は、液晶モニタ１１に表示されている画像が所定の倍率に拡大表示される。
【００９３】
図８に、動作モードが再生モードの場合、複数画像表示画面での具体的な動作例を示す。液晶モニタ１１には撮影した画像が複数毎連続して表示されており、本画面を呼び出した際には、左上の画像（画像Ａ）が選択された状態になっている。ここで選択されている画像は四角い枠（以降、選択枠と呼ぶ）で囲われて表示されている。
【００９４】
操作者はマルチスイッチ６１を押しながら、デジタルカメラ１００を図７で示す＋α方向に大きく回転させ、また＋β方向に小さく回転させる。この動作により、デジタルカメラ１００は図６に例示した対応動作に従って、選択枠を矢印のように下に二つかつ右に一つ移動させ、選択枠は画像Ａの位置から画像Ｂの位置へ移動する。
【００９５】
ステップＳ１０６で対応動作が実行された後に、フローはステップＳ１０７へ移行する。ステップＳ１０７ではマルチスイッチ６１の操作状態が判定される。ここで引き続きマルチスイッチ６１が操作されていればステップＳ１０３へ戻って変位角度の算出と推移パターンの判定が継続される。一方マルチスイッチ６１が操作されていなければ、フローはステップＳ１０９へ移行して本動作は終了する。
【００９６】
以上のように、撮像装置の角加速度を検出し、その検出結果に基づいて撮像装置に所定の動作を行わせることで、一般的な操作スイッチを利用して操作する場合に比べ、より簡単かつすばやく所望の操作を行うことができる。
【００９７】
また撮像装置に設置する操作スイッチの数を減らすことができ、コストやレイアウトの面での利点となる。
【００９８】
また角加速度の推移をパターンとして組み合わせ、各パターンに異なる操作動作を対応させることで、同一の入力方法で複数の操作を行うことができる。
【００９９】
また本発明を実施するためのセンサとして手振れ防止機能用のセンサを用いることが可能であり、新たにセンサを設ける必要がないため、コストやレイアウトの制限を受けずに実現が可能である。
【実施例２】
【０１００】
図９に第２の実施例の詳細動作のフローチャートを示す。
【０１０１】
本実施例では、センサ４７として加速度を検出する加速度センサ４７Ｂ（図示省略）を用いる。
【０１０２】
本実施例では、操作者がマルチスイッチ６１を押しながらデジタルカメラ１００を上下左右に移動させるように動かすことで、あらかじめデジタルカメラ１００の動きのパターンに割り当てた所定の動作を実行させるものである。
【０１０３】
ステップＳ２０１では、マルチスイッチ（図９ではマルチＳＷと記載）６１が操作されているかどうかが判定される。マルチスイッチ６１が操作されている場合は、フローはステップＳ２０２へ移行する。一方マルチスイッチ６１が操作されていない場合は、本動作は作動せず、フローはステップＳ２０９へ移行して本動作は終了する。
【０１０４】
ステップＳ２０２では、加速度センサ４７Ｂにより、図５に示す直交座標系の座標軸Ｘ、Ｙ、Ｚ方向におけるデジタルカメラ１００の初期加速度が計測される。この後にフローはステップＳ２０３へ移行する。
【０１０５】
ステップＳ２０３では、加速度センサ４７Ｂにより微小時間ｔ秒ごとに座標軸Ｘ、Ｙ、Ｚ方向における加速度が計測され、微小時間ｔ秒ごとの加速度の変化を積分することで、デジタルカメラ１００の座標軸Ｘ、Ｙ、Ｚ方向における初期位置からの変移量が算出される。この後にフローはステップＳ２０４へ移行する。
【０１０６】
ステップＳ２０４では、算出された変位量の推移パターンが判定される。推移パターンがあらかじめ定義した推移パターンに一致した場合は、フローはステップＳ２０５へ移行する。一方推移パターンがあらかじめ定義した推移パターンに一致しなければ、フローはステップＳ２０８へ移行し、引き続きマルチスイッチ６１が操作されていればステップＳ２０３へ戻って変位量の算出と推移パターンの判定が継続される。一方マルチスイッチ６１が操作されていなければ、フローはステップＳ２０９へ移行して本動作は終了する。
【０１０７】
ステップＳ２０５では、ステップＳ２０４で一致した変位量の推移パターンにあらかじめ割り当てた動作が選択され、ステップＳ２０６でこの動作が実行される。図１０に変位量の推移パターン（入力動作）と、各入力動作に割り当てた対応動作の一例を示す。例えば、動作モードが撮影モードの場合、操作者がデジタルカメラ１００を図１１に示す−Ｙ方向へ小さく移動させた後に＋Ｘ方向へ小さく移動させたさせた場合は、液晶モニタ１１に露出補正設定画面が表示される。また動作モードが再生モードの場合、操作者がデジタルカメラ１００を図１１に示す−Ｚ方向へ小さく移動させた場合は、液晶モニタ１１に表示されている画像が所定の倍率に縮小表示される。
【０１０８】
ステップＳ２０６で対応動作が実行された後に、フローはステップＳ２０７へ移行する。ステップＳ２０７ではマルチスイッチ６１の操作状態が判定される。ここで引き続きマルチスイッチ６１が操作されていればステップＳ２０３へ戻って変位量の算出と推移パターンの判定が継続される。一方マルチスイッチ６１が操作されていなければ、フローはステップＳ２０９へ移行して本動作は終了する。
【０１０９】
以上のような動作を行うことで、第１の実施例と同等の効果を得ることができる。
【実施例３】
【０１１０】
図１２に第３の実施例の詳細動作のフローチャートを示す。
【０１１１】
本実施例では、センサ４７として角加速度を検出するジャイロセンサ４７Ａを用い、操作者がマルチスイッチ６１を押しながらデジタルカメラ１００を上下左右に移動させるように動かす（以降、手書き入力と呼ぶ）ことで、あらかじめデジタルカメラ１００の動きのパターンに割り当てた所定の文字を液晶モニタ１１に表示し、撮影した画像とともに記憶させるものである。
【０１１２】
ステップＳ３０１では、マルチスイッチ（図１２ではマルチＳＷと記載）６１が操作されているかどうかが判定される。マルチスイッチ６１が操作されている場合は、フローはステップＳ３０２へ移行する。一方マルチスイッチ６１が操作されていない場合は、本動作は作動せず、フローはステップＳ３１２へ移行して本動作は終了する。
【０１１３】
ステップＳ３０２では、手書き入力の軌跡を表示するために、図１３に示すように液晶モニタ１１の所定位置（図１３では左下）に十字カーソルが表示される。この後にフローはステップＳ３０３へ移行する。
【０１１４】
ステップＳ３０３では、ジャイロセンサ４７Ａにより、図５に示す回転座標系の座標軸α、β、γ方向におけるデジタルカメラ１００の初期角加速度が計測される。ここで、本実施例ではγ方向の角加速度は利用することなく実施が可能である。この後にフローはステップＳ３０４へ移行する。
【０１１５】
ステップＳ３０４では、ジャイロセンサ４７Ａにより微小時間ｔ秒ごとに座標軸α、β、γ方向における角加速度が計測され、微小時間ｔ秒ごとの角加速度の変化を積分することで、デジタルカメラ１００の座標軸α、β、γ方向における初期位置からの変移角度が算出される。この後にフローはステップＳ３０５へ移行する。
【０１１６】
ステップＳ３０５では、マルチスイッチ６１の操作が継続されているかどうかが判定される。マルチスイッチ６１の操作が継続されている場合は、フローはステップＳ３０６へ移行する。一方マルチスイッチ６１の操作が中止された場合は、手書き入力の区切りと判定されてフローはステップＳ３０７へ移行する。
【０１１７】
ステップＳ３０６では、ステップＳ３０４で算出された変位角度が液晶モニタ上の変位位置に座標変換され、十字カーソルがその変位位置まで移動する。また移動の軌跡は線で結ばれて表示される。この後に、フローはステップＳ３０７へ移行する。
【０１１８】
ステップＳ３０７では、手書き入力の終了を意味するＯＫスイッチ６２が操作されたかどうかが判定される。ＯＫスイッチ６２が操作された場合は、フローはステップＳ３０８へ移行する。一方ＯＫスイッチ６２が操作されていない場合は、引き続き手書き入力を続行するため、フローはステップＳ３０３へ戻る。
【０１１９】
以上のように、ステップＳ３０３〜ステップＳ３０７では、マルチスイッチ６１が操作されている間はデジタルカメラ１００の動きに応じた手書き入力が継続してなされ、液晶モニタ１１にその軌跡が表示される。マルチスイッチ６１の操作を止めた時点で手書き入力は一端終了し、ＯＫスイッチ６２が操作されればステップＳ３０８でそれまでに入力された軌跡を文字認識して液晶モニタ１１に表示し、記憶する。一方ＯＫスイッチ６２が操作されずに再びマルチスイッチ６１が操作されると、フローはステップＳ３０３へ戻って再度新たな手書き入力動作に移行する。この場合、ＯＫスイッチ６２が操作されるまでは、入力されたそれまでの軌跡は記憶されている。
【０１２０】
例えば、図１４に示すように、マルチスイッチ６１を押しながらデジタルカメラを斜め右方向に移動した後、斜め右下に移動させてマルチスイッチ６１を離した場合、液晶モニタ１１には図１５に示すような軌跡が表示される。引き続き軌跡を表示させる場合は、再度マルチスイッチを押しながらデジタルカメラ１００を動かせば良い。
【０１２１】
ステップＳ３０８では、手書き入力された軌跡パターンの文字認識が行われる。すなわち手書き入力された軌跡パターンがあらかじめ記憶された所定の軌跡パターンと比較される。ここで比較を行うにあたり、手書き入力に要した時間により軌跡パターンの形にばらつきが発生して比較結果に影響を与えるため、記憶された個々の軌跡パターンが時間軸上で正規化されてから比較が行われる。正規化された軌跡パターンとあらかじめ記憶されている軌跡パターンの差分を座標変換後のＸ方向成分とＹ方向成分で算出し、各差分が所定値以下であれば、ステップＳ３０９において、手書き入力された軌跡パターンがあらかじめ記憶された軌跡パターンと同一である、すなわち文字認識が成功と判定される。この後に、フローはステップＳ３１１へ移行する。
【０１２２】
ステップＳ３１１では、入力パターンに該当する文字が液晶モニタ１１に表されるとともに、記憶される。この後にフローはステップＳ３１２に移行し、本動作は終了する。
【０１２３】
図１６にアルファベットＡ〜Ｚと数字１〜０の入力軌跡パターン例を示す。例えば図１５に示す入力がなされた場合は、図１６に示すアルファベットＡに対応するパターンとなるため、この軌跡パターンはアルファベットＡに変換されて表示されるとともに、記憶される。この後に動作は終了する。
【０１２４】
一方ステップＳ３０９において、入力軌跡パターンがあらかじめ記憶された軌跡パターンと一致しない場合は、フローはステップＳ３１０へ移行し、ブザ３８を鳴らして警報音を発するとともに入力軌跡パターンをクリアした後にステップＳ３０３へ戻る。
【０１２５】
なお、変換された文字を液晶画面に表示する場合の文字の大きさは、表示する文字数に応じてその大きさがあらかじめ決められており、液晶画面からはみ出すことなく表示される。
【０１２６】
以上のように、カメラの動き（傾き）を操作者からの手書き文字入力として用いることで、一般的な十字方向キー等の入力操作方法では順送りの操作を行う必要があるような文字入力動作を速やかに行うことが可能である。
【０１２７】
また撮像装置に設置する操作スイッチの数を減らすことができ、コストやレイアウトの面での利点となる。
【０１２８】
また角加速度の推移をパターンとして組み合わせ、各パターンに異なる操作動作を対応させることで、同一の入力方法で複数の操作を行うことができる。
【０１２９】
また本発明を実施するためのセンサとして手振れ防止機能用のセンサを用いることが可能であり、新たにセンサを設ける必要がないため、コストやレイアウトの制限を受けずに実現が可能である。
【実施例４】
【０１３０】
図１７に第４の実施例の詳細動作のフローチャートを示す。
【０１３１】
本実施例では、センサ４７として加速度を検出する加速度センサ４７Ｂを用い、操作者がマルチスイッチ６１を押しながらデジタルカメラ１００を上下左右に移動させるように動かす（以降、手書き入力と呼ぶ）ことで、あらかじめデジタルカメラ１００の動きのパターンに割り当てた所定の文字を液晶モニタ１１に表示し、撮影した画像とともに記憶させるものである。
【０１３２】
ステップＳ４０１では、マルチスイッチ（図１７ではマルチＳＷと記載）６１が操作されているかどうかが判定される。マルチスイッチ６１が操作されている場合は、フローはステップＳ４０２へ移行する。一方マルチスイッチ６１が操作されていない場合は、本動作は作動せず、フローはステップＳ４１２へ移行して本動作は終了する。
【０１３３】
ステップＳ４０２では、手書き入力の軌跡を表示するために、図１３に示すように液晶モニタ１１の所定位置（図１３では左下）に十字カーソルが表示される。この後にフローはステップＳ４０３へ移行する。
【０１３４】
ステップＳ４０３では、加速度センサ４７Ｂにより、図５に示す直交座標系の座標軸Ｘ、Ｙ、Ｚ方向におけるデジタルカメラ１００の初期加速度が計測される。ここで、本実施例ではＺ方向の加速度は利用することなく実施が可能である。この後にフローはステップＳ４０４へ移行する。
【０１３５】
ステップＳ４０４では、加速度センサ４７Ｂにより微小時間ｔ秒ごとに座標軸Ｘ、Ｙ、Ｚ方向における加速度が計測され、微小時間ｔ秒ごとの加速度の変化を積分することで、デジタルカメラ１００の座標軸Ｘ、Ｙ、Ｚ方向における初期位置からの変移量が算出される。この後にフローはステップＳ４０５へ移行する。
【０１３６】
ステップＳ４０５では、マルチスイッチ６１の操作が継続されているかどうかが判定される。マルチスイッチ６１の操作が継続されている場合は、フローはステップＳ４０６へ移行する。一方マルチスイッチ６１の操作が中止された場合は、手書き入力の区切りと判定されてフローはステップＳ４０７へ移行する。
【０１３７】
ステップＳ４０６では、ステップＳ４０４で算出された変位量が液晶モニタ上の変位位置に座標変換され、十字カーソルがその変位位置まで移動する。また移動の軌跡は線で結ばれて表示される。この後に、フローはステップＳ４０７へ移行する。
【０１３８】
ステップＳ４０７では、手書き入力の終了を意味するＯＫスイッチ６２が操作されたかどうかが判定される。ＯＫスイッチ６２が操作された場合は、フローはステップＳ４０８へ移行する。一方ＯＫスイッチ６２が操作されていない場合は、引き続き手書き入力を続行するため、フローはステップＳ４０３へ戻る。
【０１３９】
以上のように、ステップＳ４０３〜ステップＳ４０７では、マルチスイッチ６１が操作されている間はデジタルカメラ１００の動きに応じた手書き入力が継続してなされ、液晶モニタ１１にその軌跡が表示される。マルチスイッチ６１の操作を止めた時点で手書き入力は一端終了し、ＯＫスイッチ６２が操作されればステップＳ４０８でそれまでに入力された軌跡を文字認識して液晶モニタ１１に表示し、記憶する。一方ＯＫスイッチ６２が操作されずに再びマルチスイッチ６１が操作されると、フローはステップＳ４０３へ戻って再度新たな手書き入力動作に移行する。この場合、ＯＫスイッチ６２が操作されるまでは、入力されたそれまでの軌跡は記憶されている。
【０１４０】
ステップＳ４０８以降では、手書き入力された軌跡パターンを所定のパターンと比較し、文字認識を実行して液晶モニタに認識した文字を表示し、記憶する。ここで文字認識の方法、表示および記憶方法は第３の実施例と同等のため、説明は省略する。
【０１４１】
以上のような動作を行うことで、第３の実施例と同等の効果を得ることができる。
【０１４２】
以上、本発明の実施例を図面により詳述したが、実施例は本発明の例示にしか過ぎず、本発明は実施例の構成にのみ限定されるものではない。したがって本発明の要旨を逸脱しない範囲の設計の変更等があっても本発明に含まれることはもちろんである。
【０１４３】
例えば、センサ４７はジャイロセンサ４７Ａおよび加速度センサ４７Ｂに限定されるものではなく、加速度変化、位置変化を検出できる他のセンサを用いても良い。この場合、検出するパラメータも実施例に記載した３方向の角加速度と加速度に限定されず、利用するセンサが検出するパラメータを用いることができる。
【０１４４】
またセンサが検出する入力動作とデジタルカメラ１００の対応動作は図６、図１０に示すものに限定されるものではない。例えば、第１の実施例で＋γ方向に大きく回転させた場合は、ストロボの発光を強制的に禁止する撮影状態とする等、入力動作と対応動作の設定は様々に行うことが可能である。また入力動作と対応動作を液晶モニタ１１を通じて操作者に選択設定させても良い。
【０１４５】
また入力動作により記述される文字は、図１６に示すものに限定されず、様々な設定が可能である。
【０１４６】
さらに、第３の実施例および第４の実施例において、認識された文字の記憶は、例えばＯＫスイッチ６２を操作した場合にされるものとしても良い。
【図面の簡単な説明】
【０１４７】
【図１】本発明の第１の実施例の撮像装置の構成図である。
【図２】本発明の第１の実施例の撮像装置のブロック図である。
【図３】本発明の第１の実施例の撮像装置の状態遷移図である。
【図４】本発明の第１の実施例の撮像装置のフローチャートである。
【図５】本発明の第１の実施例の撮像装置の座標軸を表す図である。
【図６】本発明の第１の実施例の撮像装置の入力動作と対応動作の関係の例を示す図である。
【図７】本発明の第１の実施例の撮像装置の入力動作の方向を示す図である。
【図８】本発明の第１の実施例の撮像装置の動作説明図である。
【図９】本発明の第２の実施例の撮像装置のフローチャートである。
【図１０】本発明の第２の実施例の撮像装置の入力動作と対応動作の関係の例を示す図である。
【図１１】本発明の第２の実施例の撮像装置の入力動作の方向を示す図である。
【図１２】本発明の第３の実施例の撮像装置のフローチャートである。
【図１３】本発明の第３の実施例の撮像装置の動作説明図である。
【図１４】本発明の第３の実施例の撮像装置の入力動作の説明図である。
【図１５】本発明の第３の実施例の撮像装置の動作説明図である。
【図１６】本発明の第３の実施例の撮像装置の入力動作に対応する文字の例を示す図である。
【図１７】本発明の第４の実施例の撮像装置の動作を表すフローチャートである。
【符号の説明】
【０１４８】
１  サブ液晶モニタ
２  メモリカード兼電池蓋
３  ストロボ発光部
４  光学ファインダ
５  測距ユニット
６  リモコン受光部
７  鏡胴ユニット
７Ａ  ズームレンズ
７Ｂ  ズームモータ
７Ｃ  ズーム光学系
７Ｄ  フォーカスレンズ
７Ｅ  フォーカスモータ
７Ｆ  フォーカス光学系
７Ｇ  絞り
７Ｈ  絞りモータ
７Ｉ  絞りユニット
７Ｊ  機械式シャッタ
７Ｋ  シャッタモータ
７Ｌ  機械式シャッタユニット
７Ｍ  モータドライバ
８  オートフォーカスＬＥＤ
９  ストロボＬＥＤ
１０  光学ファインダ
１１  液晶モニタ
２０  液晶ドライバ
２１  ストロボ駆動回路
２２  液晶ドライバ
２３  サブＣＰＵ
３０  制御部
３０Ａ  Ａ／Ｄ変換部
３０Ｂ  ＣＣＤ信号処理部１
３０Ｃ  ＣＣＤ信号処理部２
３０Ｄ  ＣＰＵ
３０Ｅ  ローカルＳＲＡＭ
３０Ｆ  ＵＳＢ部
３０Ｇ  シリアル通信部
３０Ｈ  ＪＰＥＧ  ＣＯＤＥＣ部
３０Ｉ  ＲＥＳＩＺＥ部
３０Ｊ  ＴＶ信号表示部
３０Ｋ  メモリカード制御部
３１  ＳＤＲＡＭ
３２  ＲＯＭ
３３  内蔵メモリ
３４  ＲＡＭ
３５  Ｄ／Ａ変換部
３６  増幅部
３７  圧電素子
３８  ブザ
３９  ビデオ信号増幅部
４０  ビデオジャック
４１  メモリカードスロット
４２  メモリカード
４３  シリアルドライバ
４４  ＲＳ２３２Ｃコネクタ
４５  ＵＳＢコネクタ
４６  増幅部
４７  センサ
５０  操作スイッチユニット
５１  モードダイヤル
５２  レリーズシャッタ
５３  広角ズームスイッチ
５４  望遠ズームスイッチ
５５  セルフタイマスイッチ兼削除スイッチ
５６  メニュースイッチ
５７  上方向操作スイッチ兼ストロボスイッチ
５８  右方向操作スイッチ
５９  下方向操作スイッチ兼マクロスイッチ
６０  左方向スイッチ
６１  マルチスイッチ
６２  ＯＫスイッチ
６３  液晶モニタＯＮＯＦＦスイッチ
６４  電源スイッチ
７０  ＣＣＤ
７１  フロントエンドＩＣ（Ｆ／Ｅ−ＩＣ）
７１Ａ  ノイズ除去サンプリング部（ＣＤＳ部）
７１Ｂ  自動利得調整部（ＡＧＣ部）
７１Ｃ  Ａ／Ｄ変換部
７１Ｄ  タイミング信号発生部（ＴＧ部）
８０  音声入力部
８０Ａ  マイク
８０Ｂ  マイク信号増幅部
８０Ｃ  音声信号記録部
９０  拡声部
９０Ａ  スピーカ
９０Ｂ  音声信号増幅部
９０Ｃ  音声信号再生部
１００  デジタルカメラ
【図１】
2006285073.tif 000003
【図２】
2006285073.tif 000004
【図３】
2006285073.tif 000005
【図４】
2006285073.tif 000006
【図５】
2006285073.tif 000007
【図６】
2006285073.tif 000008
【図７】
2006285073.tif 000009
【図８】
2006285073.tif 000010
【図９】
2006285073.tif 000011
【図１０】
2006285073.tif 000012
【図１１】
2006285073.tif 000013
【図１２】
2006285073.tif 000014
【図１３】
2006285073.tif 000015
【図１４】
2006285073.tif 000016
【図１５】
2006285073.tif 000017
【図１６】
2006285073.tif 000018
【図１７】
2006285073.tif 000019